(57)【要約】【課題】非力な人でも容易に回転黒板のロックおよび解除可能にする。【解決手段】下フレーム３ｂに固定されるベース部材５０、下フレーム３ｂの後方でベース部材５０に対して回転可能に軸支され、回転黒板２の外縁２ａに嵌合可能に形成されたストッパ部材５１、ストッパ部材５１を回転黒板２に嵌合する方向に付勢するねじりコイルばね、ストッパ部材５１を回転動作させるレバー部材５２を有し、レバー部材５２は、ストッパ部材５１を作動させる作動ピン６１、レバー部材５２の動作を制限する制限ピン６２を有し、ベース部材５０は、作動ピン６１の動きを下フレーム３ｂの略前後方向に限定する第１の長穴５０ａ、下フレーム３ｂの略前後方向に対して斜め方向に形成され、制限ピン６２の動きを限定する第２の長穴５０ｂ、第２の長穴５０ｂに連結されて制限ピン６２を案内し、ストッパ部材５１が回転黒板２に嵌合しない位置に保持する保持穴５０ｃを有する。【選択図】図３
2007268902.tif 000002
【特許請求の範囲】
【請求項１】
フレーム内で所定の回転軸回りに回転可能に保持される回転黒板を前記フレームにロックする回転黒板のロック装置であって、
前記フレームに固定されるベース部材と、
前記フレームの後方で前記ベース部材に対して回転可能に軸支され、前記回転黒板の外縁に嵌合可能に形成されたストッパ部材と、
このストッパ部材を前記回転黒板に嵌合する方向に付勢する弾性部材と、
前記フレームの外側に配設され、往復動作によって前記ストッパ部材を回転動作させるレバー部材とを有し、
前記レバー部材は、前記ストッパ部材を作動させる作動ピンと、このレバー部材の動作を制限する制限ピンとを有するものであり、
前記ベース部材は、前記作動ピンが貫入されてこの作動ピンの動きを前記フレームの略前後方向に限定する第１の長穴と、前記フレームの略前後方向に対して斜め方向に形成され、前記制限ピンが貫入されてこの制限ピンの動きを限定する第２の長穴と、この第２の長穴に連結されて前記制限ピンを案内し、前記ストッパ部材が前記回転黒板に嵌合しない位置に保持する保持穴とを有するものであることを特徴とする回転黒板のロック装置。
【請求項２】
前記ベース部材およびストッパ部材がそれぞれ複数並列に配置され、前記作動ピンが前記複数のストッパ部材によって共用され、前記レバー部材の一つによって作動される前記作動ピンにより前記複数個のストッパ部材が作動されることを特徴とする請求項１記載の回転黒板のロック装置。
【請求項３】
フレーム内で所定の回転軸回りに回転可能に保持され、前記フレームにロックされる回転黒板と、
前記フレームに固定されるベース部材と、
前記フレームの後方で前記ベース部材に対して回転可能に軸支され、前記回転黒板の外縁に嵌合可能に形成されたストッパ部材と、
このストッパ部材を前記回転黒板に嵌合する方向に付勢する弾性部材と、
前記フレームの外側に配設され、往復動作によって前記ストッパ部材を回転動作させるレバー部材とを有するロック装置を備え、
前記レバー部材は、前記ストッパ部材を作動させる作動ピンと、このレバー部材の動作を制限する制限ピンとを備えるものであり、
前記ベース部材は、前記作動ピンが貫入されてこの作動ピンの動きを前記フレームの略前後方向に限定する第１の長穴と、前記フレームの略前後方向に対して斜め方向に形成され、前記制限ピンが貫入されてこの制限ピンの動きを限定する第２の長穴と、この第２の長穴に連結されて前記制限ピンを案内し、前記ストッパ部材が前記回転黒板に嵌合しない位置に保持する保持穴とを備えるものであることを特徴とする回転黒板装置。
【発明の詳細な説明】
【技術分野】
【０００１】
本発明は、所定の回転軸回りに回転可能な回転黒板をフレームにロックして所定の姿勢に維持する回転黒板のロック装置およびこれを用いた回転黒板装置に関する。
【背景技術】
【０００２】
一般的に、回転黒板は、一対の支柱間に軸支された水平軸回りに回転可能に形成されている。また、この回転黒板は、垂直姿勢に維持するために、回転黒板の支持枠が支柱からネジにて固定（ロック）されるか（例えば、特許文献１参照。）、回転黒板の下枠側から圧接して、係止・離脱自在に構成されたストッパにてロックされる（例えば、特許文献２参照。）。
【特許文献１】特開平７−１７２０９７号公報
【特許文献２】特開平１０−１８１２８５号公報
【発明の開示】
【発明が解決しようとする課題】
【０００３】
しかしながら、上記従来のネジにてロックする方法では、回転黒板を垂直姿勢に維持しつつネジを回して締める作業が必要となり、非力な人の場合にはこの回転黒板を垂直姿勢に維持することが大変であり、作業がやりにくいという問題がある。
【０００４】
また、上記従来の回転黒板の下枠側から圧接するストッパは、回転黒板を圧接する力に対して反対の力を加えてロックを解除する必要があり、やはり非力な人の場合にはこのロックを解除する作業が大変である。また、ロックの解除のためには、回転黒板とその下枠との狭い隙間に指を入れる必要があり、作業がやりにくいという問題がある。
【０００５】
そこで、本発明においては、非力な人でも容易にロックを行い、またロックを解除することが可能な回転黒板のロック装置およびこれを用いた回転黒板装置を提供することを目的とする。
【課題を解決するための手段】
【０００６】
上記課題を解決するため、本発明の回転黒板のロック装置は、フレーム内で所定の回転軸回りに回転可能に保持される回転黒板をフレームにロックする回転黒板のロック装置であって、フレームに固定されるベース部材と、フレームの後方でベース部材に対して回転可能に軸支され、回転黒板の外縁に嵌合可能に形成されたストッパ部材と、このストッパ部材を回転黒板に嵌合する方向に付勢する弾性部材と、フレームの外側に配設され、往復動作によってストッパ部材を回転動作させるレバー部材とを有し、レバー部材は、ストッパ部材を作動させる作動ピンと、このレバー部材の動作を制限する制限ピンとを有するものであり、ベース部材は、作動ピンが貫入されてこの作動ピンの動きをフレームの略前後方向に限定する第１の長穴と、フレームの略前後方向に対して斜め方向に形成され、制限ピンが貫入されてこの制限ピンの動きを限定する第２の長穴と、この第２の長穴に連結されて制限ピンを案内し、ストッパ部材が回転黒板に嵌合しない位置に保持する保持穴とを有するものであることを特徴とする。
【発明の効果】
【０００７】
本発明によれば、非力な人でも容易に回転黒板のロックを行い、またロックを解除することが可能となる。
【発明を実施するための最良の形態】
【０００８】
本発明の請求項１の発明は、フレーム内で所定の回転軸回りに回転可能に保持される回転黒板をフレームにロックする回転黒板のロック装置であって、フレームに固定されるベース部材と、フレームの後方でベース部材に対して回転可能に軸支され、回転黒板の外縁に嵌合可能に形成されたストッパ部材と、このストッパ部材を回転黒板に嵌合する方向に付勢する弾性部材と、フレームの外側に配設され、往復動作によってストッパ部材を回転動作させるレバー部材とを有し、レバー部材は、ストッパ部材を作動させる作動ピンと、このレバー部材の動作を制限する制限ピンとを有するものであり、ベース部材は、作動ピンが貫入されてこの作動ピンの動きをフレームの略前後方向に限定する第１の長穴と、フレームの略前後方向に対して斜め方向に形成され、制限ピンが貫入されてこの制限ピンの動きを限定する第２の長穴と、この第２の長穴に連結されて制限ピンを案内し、ストッパ部材が回転黒板に嵌合しない位置に保持する保持穴とを有するものであることを特徴とする回転黒板のロック装置である。本発明の回転黒板のロック装置によれば、フレームの後方でベース部材に対して回転可能に軸支されたストッパ部材は、通常、弾性部材によって回転黒板に嵌合する方向に付勢され、回転黒板の外縁に嵌合してロックしている。ここで、レバー部材を第２の長穴に沿ってフレームの斜め後方にスライドさせると、レバー部材とともに作動ピンが第１の長穴に沿ってフレームの略後方にスライドし、フレームの後方でベース部材に対して回転可能に軸支されたストッパ部材が回転黒板の外縁から離間する方向に回転し、ロックが解除される。これにより、非力な人でも容易に回転黒板のロックを行い、またロックを解除することが可能となる。
【０００９】
本発明の請求項２の発明は、上記発明において、ベース部材およびストッパ部材がそれぞれ複数並列に配置され、作動ピンが複数のストッパ部材によって共用され、レバー部材の一つによって作動される作動ピンにより複数個のストッパ部材が作動されることを特徴とする。これにより、大きなサイズの回転黒板の場合に、確実に回転黒板をロックするために複数個のストッパ部材をベース部材とともに並列に配置し、これらのストッパ部材を一つのレバー部材によって作動させることができるので、容易に回転黒板のロックおよびその解除を行うことが可能となる。
【００１０】
本発明の請求項３の発明は、フレーム内で所定の回転軸回りに回転可能に保持され、フレームにロックされる回転黒板と、フレームに固定されるベース部材と、フレームの後方でベース部材に対して回転可能に軸支され、回転黒板の外縁に嵌合可能に形成されたストッパ部材と、このストッパ部材を回転黒板に嵌合する方向に付勢する弾性部材と、フレームの外側に配設され、往復動作によってストッパ部材を回転動作させるレバー部材とを有するロック装置を備え、レバー部材は、ストッパ部材を作動させる作動ピンと、このレバー部材の動作を制限する制限ピンとを備えるものであり、ベース部材は、作動ピンが貫入されてこの作動ピンの動きをフレームの略前後方向に限定する第１の長穴と、フレームの略前後方向に対して斜め方向に形成され、制限ピンが貫入されてこの制限ピンの動きを限定する第２の長穴と、この第２の長穴に連結されて制限ピンを案内し、ストッパ部材が回転黒板に嵌合しない位置に保持する保持穴とを備えるものであることを特徴とする回転黒板装置である。本発明の回転黒板装置によれば、フレームの後方でベース部材に対して回転可能に軸支されたストッパ部材は、通常、弾性部材によって回転黒板に嵌合する方向に付勢され、回転黒板の外縁に嵌合してロックしている。ここで、レバー部材を第２の長穴に沿ってフレームの斜め後方にスライドさせると、レバー部材とともに作動ピンが第１の長穴に沿ってフレームの略後方にスライドし、フレームの後方でベース部材に対して回転可能に軸支されたストッパ部材が回転黒板の外縁から離間する方向に回転し、ロックが解除される。これにより、非力な人でも容易に回転黒板のロックを行い、またロックを解除することが可能となる。
【００１１】
以下、本発明の実施の形態について図面を参照して説明する。
【００１２】
図１は本発明の実施の形態における回転黒板装置の正面図、図２は図１の回転黒板装置のロック装置部分の拡大背面図、図３は図２のＡ−Ａ線断面図、図４は図３のストッパ部材を示す断面図、図５は図３のベース部材を示す断面図、図６は図３のレバー部材を示す断面図である。
【００１３】
図１において、本発明の実施の形態における回転黒板装置１は、矩形状の電子式黒板である回転黒板２と、回転黒板２の四方を取り囲むフレーム３と、フレーム３を支持するスタンド４と、回転黒板２をフレーム３にロックするロック装置５と、回転黒板２上に記載された内容を読み取るスキャナ６と、スキャナ６の動作等を指示するための操作パネル７とを備える。なお、以下の説明において、前後の方向は、回転黒板２の正面側を前（図３の左側）、裏面側を後（図３の右側）として表現している。
【００１４】
フレーム３は、回転黒板２の上側、下側、左側および右側にそれぞれ配置される上フレーム３ａ、下フレーム３ｂ、左フレーム３ｃおよび右フレーム３ｄとから構成される。回転黒板２は、フレーム３内で水平軸回りに回転可能に保持されている。スキャナ６は、上フレーム３ａおよび下フレーム３ｂによって図１の左側から右側へ向かって走行可能に支持されている。スキャナ６は、図１の左側から右側へ向かって走行する際に回転黒板２上を走査する。
【００１５】
図２および図３に示すように、ロック装置５は、フレーム３の下フレーム３ｂに固定されるベース部材５０（図５参照。）と、下フレーム３ｂの後方でベース部材５０に対して回転軸６０により回転可能に軸支されたストッパ部材５１（図４参照。）と、下フレーム３ｂの下側に配設され、上下の往復動作によってストッパ部材５１を回転動作させるためのレバー部材５２（図６参照。）とを備える。
【００１６】
ストッパ部材５１は、回転軸６０を中心として図３の右回りに回転した際に、回転黒板２の外縁２ａに嵌合して保持し、回転黒板２を垂直姿勢に維持する保持部５１ａを備える。なお、回転軸６０には、ねじりコイルばね５３が設けられている。このねじりコイルばね５３の一方の腕５３ａはストッパ部材５１側に、他方の腕５３ｂはベース部材５０側にそれぞれ支持されている。これにより、ねじりコイルばね５３は、ストッパ部材５１を回転黒板２に嵌合する方向に付勢する。
【００１７】
レバー部材５２は、手で持って操作する操作部５２ａと、ストッパ部材５１を作動させる作動ピン６１と、このレバー部材の動作を制限する制限ピン６２とを有する。ベース部材５０は、この作動ピン６１が貫入されて作動ピン６１の動きを下フレーム３ｂの略前後方向に限定する第１の長穴５０ａと、下フレーム３ｂの略前後方向に対して斜め下方向に形成され、制限ピン６２が貫入されてこの制限ピン６２の動きを限定する第２の長穴５０ｂと、この第２の長穴５０ｂに連結されて制限ピン６２を案内し、ストッパ部材５１が回転黒板２に嵌合しない位置に保持する保持穴５０ｃと、下フレーム３ｂを保持する保持部５０ｄとを有する。
【００１８】
次に、上記構成のロック装置５の動作について説明する。図７（ａ）は図２のＢ−Ｂ線に相当する断面図、図７（ｂ）は図２のＡ−Ａ線に相当する断面図である。図８（ａ）は図２のＢ−Ｂ線に相当する断面図、図８（ｂ）は図２のＡ−Ａ線に相当する断面図である。図９（ａ）は図２のＢ−Ｂ線に相当する断面図、図９（ｂ）は図２のＡ−Ａ線に相当する断面図である。
【００１９】
図７に示すように、通常状態では、フレーム３の後方で回転軸６０によりベース部材５０に対して回転可能に軸支されたストッパ部材５１は、ねじりコイルばね５３の作用によって保持部５１ａが回転黒板２に嵌合する方向に付勢されている。そのため、ストッパ部材５１は、保持部５１ａが回転黒板２の外縁２ａに嵌合して回転黒板２をロックしている。
【００２０】
ここで、レバー部材５２を下フレーム３ｂの下方向に押し下げていくと、作動ピン６１が第１の長穴５０ａに沿って下フレーム３ｂの略後方にスライドするとともに、制限ピン６２が第２の長穴５０ｂに沿って下フレーム３ｂの斜め下後方にスライドしていく（図８参照。）。このとき、ストッパ部材５１は、作動ピン６１の作用によりストッパ部材５１の作用点５１ｂが下フレーム３ｂの後方に押し込まれ、回転軸６０を中心として回転黒板２の外縁２ａから離間する方向（図８では左回り）に回転する。
【００２１】
また、このとき、ねじりコイルばね５３の作用により回転軸６０のまわりには回転黒板２の外縁２ａに近付く方向への復元力が働くが、この復元力に逆らってレバー部材５２を下フレーム３ｂの下方向に押し下げ続ける。そして、制限ピン６２が第２の長穴５０ｂから保持穴５０ｃに入ったところで、ねじりコイルばね５３の復元力は制限ピン６２から保持穴５０ｃの下方へと作用し、保持穴５０ｃに拘束される（図９参照。）。そのため、レバー部材５２は図３の元の位置に戻ろうとはせず、図９の状態を維持する。
【００２２】
これにより、ストッパ部材５１の保持部５１ａが回転黒板２の外縁２ａから離間するので、回転黒板２のロックが解除され、かつ制限ピン６２が保持穴５０ｃに保持されてレバー部材５２が図９の状態を維持する。そのため、レバー部材５２から手を離しても回転黒板２のロックは解除されたままとなり、回転黒板２は回転可能となる。
【００２３】
一方、図９の状態からレバー部材５２を下フレーム３ｂの上方向に押し上げると、制限ピン６２が保持穴５０ｃから第２の長穴５０ｂへと入るので、ねじりコイルばね５３の復元力は保持穴５０ｃから開放され、図３の元の位置まで復帰する。これにより、ストッパ部材５１の保持部５１ａが回転黒板２の外縁２ａに嵌合し、回転黒板２はロックされる。
【００２４】
以上のように、本実施の形態におけるロック装置５によれば、ストッパ部材５１は、通常、ねじりコイルばね５３によって回転黒板２に嵌合する方向に付勢され、回転黒板２の外縁２ａに嵌合してロックしているが、レバー部材５２を下フレーム３ｂの斜め後方にスライドさせると、レバー部材５２とともに作動ピン６１が第１の長穴５０ａに沿って下フレーム３ｂの略後方にスライドし、ストッパ部材５１を回転黒板２の外縁２ａから離間する方向に回転させるので、このロックが解除される。
【００２５】
すなわち、本実施の形態におけるロック装置５では、下フレーム３ｂの下方にあるレバー部材５２の操作部５２ａを下方向に押し下げるだけで回転黒板２のロックを解除することができ、また、この操作部５２ａを上方向に押し上げるだけで回転黒板２をロックすることが可能となるため、非力な人でも容易に回転黒板２のロックおよびその解除を行うことが可能である。
【００２６】
なお、図１に示すように、本実施の形態においては、横長の回転黒板２に対し、ロック装置５を２個並列に配置し、それぞれ独立して操作するようにしているが、回転黒板２が大きく、ロック装置５の間の距離が離れてしまうような場合、１個のレバー部材によって複数のロック装置を操作可能な構成とすることが好ましい。以下、この例について説明する。なお、以下で説明する図面において、上述したものと共通の構成部分については同一の符番を付し、その説明を省略する。
【００２７】
図１０は１個のレバー部材によって複数のロック装置を操作可能にした回転黒板装置の正面図である。図１１は図１０のロック装置部分の拡大背面図である。図１２（ａ）は図１１のＤ−Ｄ線に相当する断面図、図１２（ｂ）は図１１のＣ−Ｃ線に相当する断面図である。図１３（ａ）は図１１のＤ−Ｄ線に相当する断面図、図１３（ｂ）は図１１のＣ−Ｃ線に相当する断面図である。図１４（ａ）は図１１のＦ−Ｆ線に相当する断面図、図１４（ｂ）は図１１のＥ−Ｅ線に相当する断面図である。図１５（ａ）は図１１のＦ−Ｆ線に相当する断面図、図１５（ｂ）は図１１のＥ−Ｅ線に相当する断面図である。
【００２８】
この例の回転黒板装置１０では、ロック装置がレバー部分のロック装置１１とストッパ部分のロック装置１２とから構成され、作動ピン１３がこれらのロック装置１１，１２で共用されている。なお、図１２に示すように、レバー部分のロック装置１１は、前述のロック装置５からストッパ部材５１、ねじりコイルばね５３および回転軸６０を取り除いた構成である。また、図１４に示すように、ストッパ部分のロック装置１２は、前述のロック装置５からレバー部材５２、制限ピン６２、第２の長穴５０ｂおよび保持穴５０ｃを取り除いた構成である。
【００２９】
この構成によれば、レバー部分のロック装置１１のレバー部材５２を操作すれば、共用の作動ピン１３の作用により前述と同様にストッパ部分のロック装置１２が作動する。したがって、大きなサイズの回転黒板２の場合に、確実に回転黒板２をロックするために複数個のストッパ部材５１をベース部材５０とともに並列に配置し、これらのストッパ部材５１を一つのレバー部材５２によって作動させることができるので、容易に回転黒板２のロックおよびその解除を行うことが可能となる。
【産業上の利用可能性】
【００３０】
本発明は、所定の回転軸回りに回転可能な回転黒板をフレームにロックして所定の姿勢に維持する回転黒板のロック装置およびこれを用いた回転黒板装置として有用である。特に、本発明は、非力な人でも容易にロックを行い、またロックを解除することが可能な回転黒板のロック装置およびこれを用いた回転黒板装置として好適である。
【図面の簡単な説明】
【００３１】
【図１】本発明の実施の形態における回転黒板装置の正面図
【図２】図１の回転黒板装置のロック装置部分の拡大背面図
【図３】図２のＡ−Ａ線断面図
【図４】図３のストッパ部材を示す断面図
【図５】図３のベース部材を示す断面図
【図６】図３のレバー部材を示す断面図
【図７】（ａ）図２のＢ−Ｂ線に相当する断面図、（ｂ）図２のＡ−Ａ線に相当する断面図
【図８】（ａ）図２のＢ−Ｂ線に相当する断面図、（ｂ）図２のＡ−Ａ線に相当する断面図
【図９】（ａ）図２のＢ−Ｂ線に相当する断面図、（ｂ）図２のＡ−Ａ線に相当する断面図
【図１０】１個のレバー部材によって複数のロック装置を操作可能にした回転黒板装置の正面図
【図１１】図１０のロック装置部分の拡大背面図
【図１２】（ａ）図１１のＤ−Ｄ線に相当する断面図、（ｂ）図１１のＣ−Ｃ線に相当する断面図
【図１３】（ａ）図１１のＤ−Ｄ線に相当する断面図、（ｂ）図１１のＣ−Ｃ線に相当する断面図
【図１４】（ａ）図１１のＦ−Ｆ線に相当する断面図、（ｂ）図１１のＥ−Ｅ線に相当する断面図
【図１５】（ａ）図１１のＦ−Ｆ線に相当する断面図、（ｂ）図１１のＥ−Ｅ線に相当する断面図
【符号の説明】
【００３２】
１，１０    回転黒板装置
２    回転黒板
２ａ    外縁
３    フレーム
３ａ    上フレーム
３ｂ    下フレーム
３ｃ    左フレーム
３ｄ    右フレーム
４    スタンド
５，１１，１２    ロック装置
６    スキャナ
７    操作パネル
１３    作動ピン
５０    ベース部材
５０ａ    第１の長穴
５０ｂ    第２の長穴
５０ｃ    保持穴
５０ｄ    保持部
５１    ストッパ部材
５１ａ    保持部
５１ｂ    作用点
５２    レバー部材
５２ａ    操作部
５３    ねじりコイルばね
５３ａ，５３ｂ    腕
６０    回転軸
６１    作動ピン
６２    制限ピン
【図１】
2007268902.tif 000003
【図２】
2007268902.tif 000004
【図３】
2007268902.tif 000005
【図４】
2007268902.tif 000006
【図５】
2007268902.tif 000007
【図６】
2007268902.tif 000008
【図７】
2007268902.tif 000009
【図８】
2007268902.tif 000010
【図９】
2007268902.tif 000011
【図１０】
2007268902.tif 000012
【図１１】
2007268902.tif 000013
【図１２】
2007268902.tif 000014
【図１３】
2007268902.tif 000015
【図１４】
2007268902.tif 000016
【図１５】
2007268902.tif 000017